(57)【要約】【課題】ガラスや鏡の表面に擦り傷などをつけることなく、スケールを確実に除去することのできるスケール除去用洗浄シートを提供する【解決手段】シート状に形成された基材に洗浄液を含浸させており、この洗浄液は、酸性フッ化アンモニウムを含有しており、酸性フッ化アンモニウムの含有量が全体量の４．０重量％未満とした。【選択図】  図１
2020001018.tif 000002
【特許請求の範囲】
【請求項１】
シート状に形成された基材に洗浄液を含浸させたスケール除去用洗浄シートであって、
前記洗浄液は、酸性フッ化アンモニウムを含有しており、前記酸性フッ化アンモニウムの含有量が全体量の４．０重量％未満であることを特徴とするスケール除去用洗浄シート。
【請求項２】
前記洗浄液は、他の酸成分を含有している請求項１記載のスケール除去用洗浄シート。
【請求項３】
他の酸成分が塩酸、リン酸又はグリコール酸の少なくともいずれかを含む請求項２記載のスケール除去用洗浄シート。
【請求項４】
請求項１から３のいずれかに記載のスケール除去用洗浄シートを、スケールが付着した被洗浄面に貼り付け、その後フィルム状の部材で前記スケール除去用洗浄シートを覆い、前記スケール除去用洗浄シートを貼り付けるとともに前記フィルム状の部材で覆った状態を所定時間保持し、所定時間経過後に前記フィルム状部材を取り除き、その後前記スケール除去用洗浄シートを取り除くことを特徴とするスケール除去方法。
【発明の詳細な説明】
【技術分野】
【０００１】
本発明は、例えばガラスの表面や鏡などのような被洗浄面に付着したスケールを取り除くためのスケール除去用洗浄シート及びこのスケールを除去するためのスケール除去方法に関する。
【背景技術】
【０００２】
外装用のガラスや鏡などは従来から様々な場所で利用されている。たとえば、外装用のガラスはホテルやレストラン、デパート等の商業施設においてショーウインドウガラスなどにも使用されているし、それ以外にもオフィスビルや公共施設にも多くのガラスが使用されている。また、鏡は、温泉場や旅館などの宿泊施設などをはじめ、ゴルフ場やスポーツジムなどの浴室において広く利用されている。また、近年は、介護施設や高齢者施設といったような、高齢者が宿泊しながら利用する施設も増えてきており、このような施設においても浴室に多くの鏡が使われることが増えている。
【０００３】
しかし、上記した各種の施設で利用されているガラスは日光にさらされているためにヤケが起こりやすいといった問題がある。また、一般に日常生活において利用している水道水や井戸水にはカルシウムやマグネシウムなどの硬度成分が含まれている。このような水がガラスや鏡の表面に付着すると、時間の経過に伴って水分だけが蒸発し、上記した硬度成分のみが残って結晶化する。このように結晶化した硬度成分はガラスや鏡の表面に付着したまま、スケールとして残存することになる。スケールは、ガラスや鏡の表面などに一度付着すると、水をしみこませて濡らした布などでふき取るだけでは除去することができない。そのため、従来はペースト状の研磨剤を塗布したウエス等でガラスや鏡の表面などを研磨することによってスケールを除去したり、樹脂に砥粒を固定したたわしやパッド、サンドペーパーなどでガラスや鏡の表面をこすってスケールを除去するといった方法が採られていた。
【０００４】
しかし、このような従来の方法では、ガラスや鏡の表面に傷をつけやすいという問題があった。特に商業施設のショーウインドウガラスに擦り傷がつくと展示物の視認性が悪くなり、また鏡の表面にも細かい傷がつくと鏡の映りが悪くなるため、できるだけ擦らずにスケールを除去することが望まれていた。このようなニーズを受けて、例えば窓ガラスのヤケや水アカ等による黒ずみを科学的に処理することができるガラス表面処理用水性組成物が提案されている（特許文献１）。
【先行技術文献】
【特許文献】
【０００５】
【特許文献１】特開２０００−１５４０４３号公報
【発明の概要】
【発明が解決しようとする課題】
【０００６】
近年は、特に介護施設や高齢者施設では多数の人が出入りしたりするのに加えて、多数の人が同じ浴室を利用することになる。また、特に介護施設や高齢者施設では病人や病気に感染しやすい人が多いため、施設内での感染を防止することが重要になってきている。一方で、このような施設の浴室では多くの人が身体を洗ったり、一つの浴槽に多くの人が入るため、入浴時の感染をいかに防ぐかが大きなポイントになっている。そのため、近年は、浴槽に溜めているお湯に次亜塩素酸カルシウムを入れることによって入浴時の感染を防ぐようにしている。
【０００７】
しかしながら、特に浴室においては、通常は浴槽のお湯は所定の温度を維持しながら常時溜めておくため、浴室内は次亜塩素酸カルシウムを含んだ水分による湿気が溜まりやすい状態にある。そのため、浴室内に設置されている鏡には従来よりもスケールが強固に付着しやすくなり、上記した従来の方法や上記特許文献１に記載されている組成物を使用しただけでは鏡などに付着したスケールを除去することができないという問題があった。
【０００８】
本発明は、このような問題点に鑑みてなされたものであり、ガラスや鏡の表面などのような被洗浄面に擦り傷などをつけることなく、スケールを確実に除去することのできるスケール除去用洗浄シートを提供することを目的とする。また、本発明は、ガラスや鏡の表面などのような被洗浄面に擦り傷などをつけることなく、スケールを確実に除去することのできるスケール除去方法を提供することも目的とする。
【課題を解決するための手段】
【０００９】
本発明に係るスケール除去用洗浄シートは、
（１）シート状に形成された基材に洗浄液を含浸させたスケール除去用洗浄シートであって、前記洗浄液は、酸性フッ化アンモニウムを含有しており、前記酸性フッ化アンモニウムの含有量が全体量の４．０重量％未満であることを特徴とするスケール除去用洗浄シート、
（２）前記洗浄液は、他の酸成分を含有している上記（１）記載のスケール除去用洗浄シート、
（３）他の酸成分が塩酸、リン酸又はグリコール酸の少なくともいずれかを含む上記（２）記載のスケール除去用洗浄シートを要旨とする。
【００１０】
また、本発明に係るスケール除去方法は、上記（１）から（３）のいずれかに記載のスケール除去用洗浄シートを、スケールが付着した被洗浄面に貼り付け、その後フィルム状の部材で前記スケール除去用洗浄シートを覆い、前記スケール除去用洗浄シートを貼り付けるとともに前記フィルム状の部材で覆った状態を所定時間保持し、所定時間経過後に前記フィルム状部材を取り除き、その後前記スケール除去用洗浄シートを取り除くことを特徴とするスケール除去方法を要旨とする。
【発明の効果】
【００１１】
本発明に係るスケール除去用洗浄シートによれば、シート状に形成された基材に洗浄液を含浸させており、洗浄液は酸性フッ化アンモニウムを含有しているので、酸性フッ化アンモニウムとスケールとを接触させることによってこれら酸性フッ化アンモニウムとスケールとの間で化学反応を生じさせることができる。これによりガラスや鏡の表面に付着したスケールを軟化させることができ、ガラスや鏡の表面のスケールをより簡単に除去することができる。
また、本発明に係るスケール除去方法によれば、請求項１から３のいずれかに記載のスケール除去用洗浄シートを、スケールが付着した被洗浄面に貼り付け、その後フィルム状の部材で前記スケール除去用洗浄シートを覆い、前記スケール除去用洗浄シートを貼り付けるとともに前記フィルム状の部材で覆った状態を所定時間保持し、所定時間経過後に前記フィルム状部材を取り除き、その後前記スケール除去用洗浄シートを取り除くので、ガラスや鏡の表面を強くこすって傷をつけることなくスケールを除去することができ、スケール除去作業の作業効率を大きく向上させることができる。
【図面の簡単な説明】
【００１２】
【図１】本発明に係るスケール除去方法のステップを説明するための説明図である。
【発明を実施するための形態】
【００１３】
本発明に係るスケール除去用洗浄シート（以下、「洗浄シート」という）の構成及びスケール除去方法について詳細に説明する。なお、本明細書で「基材」とは、シート、フィルム、布状物等を含む概念であり、「シート」とは、基材に対して後述する洗浄液を含浸したものを意味する概念である。また、本実施の形態における説明では、被洗浄体としてはガラスや浴室に設置されている鏡のほか、ビルなどのような外装用の壁面を有する外壁などが挙げられるが、本実施の形態では鏡を用いた例を用いて説明する。さらに、スケールの付着した被洗浄面としては、上記した被洗浄体においてスケールが付着した面を意味する概念であり、例えばガラスの表面や浴室に設置されている鏡の表面のほか、ビルの外壁の表面なども挙げられるが、本実施の形態では浴室に設置されている鏡の表面を被洗浄面とした例について説明する。なお、本発明の洗浄シートは鏡以外のガラスや外装用の壁面であって、水が飛散することによってスケールが付着する種々のものについても適用できる。
【００１４】
本実施の形態に係る洗浄シートは、基材に洗浄液を含浸させて構成されている。
【００１５】
［基材の構成］
基材は、洗浄液を含浸させることができる浸水性のあるものであればよく、従来から公知のものを任意に選択して用いてよいが、具体的には、基材には、不織布、布、紙、軟質シリコンラバー、ペーパータオル又はフェルト等を用いることができ、特にコットン不織布を用いることがよい。
【００１６】
コットン不織布は腰が強いので水や洗浄液で濡れても破れにくく、そのうえ、浸透した洗浄液が揮発しにくいため、スケールに対して洗浄液を揮発させることにより洗浄液をスケールに浸透させて、鏡の表面からスケールを除去しやすくすることができる。また、コットン不織布は上記した通り腰が強いので水や洗浄液で濡れても破れにくいため、スケール除去のために鏡の表面に貼りつけたものを他の鏡に再使用することができる。つまり、一枚の基材を複数枚の鏡に対して繰り返し使用することができるので、鏡の表面に付着したスケールを除去する際のコストも低減することができる。また、これらの基材は、表面にエンボス加工が施されていない平滑面であることが好ましい。
【００１７】
例えば、上記した基材としては、Ａ３サイズ（２９７×４２０ｍｍ）のコットン不織布で形成されたシートを２回折りたたんでＡ５サイズにした状態で洗浄液を含浸させておき、使用時には折り畳まれたシートを広げてＡ３サイズに戻し、その大きさにして鏡の表面に貼りつけるようにすることができる。このように、通常時（未使用時）は基材を折り畳んでおくことで洗浄シートをコンパクトにすることができ保管スペースを大きくとらずに置いておくことができる。なお、基材の大きさについては上記したものに限定されず、任意に決定した大きさにして用いることができる。
【００１８】
この基材を構成する不織布の製法は従来から知られている方法である。例えば、不織布の製法はスパンレース法やサーマルボンド法、ケミカルボンド法、エアレイド法などの各種の方法が知られており、どの方法を用いて不織布を形成したものであってもよい。
【００１９】
［洗浄液の構成］
洗浄液は、スケールを軟化させて鏡の表面から除去しやすくするためのものである。本実施の形態における洗浄液は、下記に記載する溶媒に溶質を撹拌させて構成されている。溶媒としては水、エチルアルコール等を挙げることができるが、上記したものには限定されず、従来から知られているものを適宜選択して用いてよい。また、溶媒としては、従来から知られている液体を単独で使用してもよいし、複数種類の液体を組み合わせて、混合して使用してもよい。
【００２０】
溶質は、酸性フッ化アンモニウムと酸成分とから構成されている。これら酸性フッ化アンモニウムと酸成分とはそれぞれスケール除去における役割が異なっている。すなわち、酸性フッ化アンモニウムは、一般にガラス質を適度に腐食又は浸食する作用を有していることから、鏡の表面に付着しているスケールを鏡の表面からはがしやすくする役割を有している。
また、酸成分は、スケールを柔らかくする役割を有している。鏡の表面に付着したスケールは水分中に含まれているカルシウム成分などで作られているため硬くなっていることがある。酸成分は、このように鏡の表面で硬くなっているスケールを軟化させることができる。
【００２１】
上記した酸性フッ化アンモニウムは、洗浄液全体の重量に対して４重量％以上の濃度を有する場合には劇物として取り扱われることと、鏡の表面の腐食及び浸食の程度が大きくなりすぎて鏡の表面を侵食してしまい、該鏡の表面が白化することが生じる。そのため、酸性フッ化アンモニウムは、洗浄液全体の重量に対して４重量％未満であることが好ましく、洗浄液全体の重量に対して３．８重量％以下であることがより好ましい。
【００２２】
酸成分は、スケールを構成する結晶化したカルシウム等との間で化学反応を生じさせて、スケールを軟化させるためのものである。なお、この酸成分としては、スケールを軟化させることができるものであればその種類は特に限定されない。例えば、下記に示す無機酸と有機酸をそれぞれ単独で用いたものを酸成分として用いてもよいし、無機酸と有機酸を混合したものを酸成分として用いてもよい。
【００２３】
酸成分として用いられる無機酸としては、例えば塩酸、硫酸、リン酸、ホウ酸、スルファミン酸、ヨウ素酸、グリコール酸（ヒドロキシル酢酸）などが挙げられるが、これらに限定されるものではない。これらのうち、スケールの軟化させやすさや入手のしやすさ、取扱いの簡便さなどの観点から、カルシウムなどを分解してスケールを軟化させやすい塩酸やリン酸を用いることが好ましい。また、例えば塩酸やリン酸を用いる場合には、洗浄液全体に対する濃度は塩酸が０．５重量％から９．８重量％であることが好ましく、りん酸が３重量％から１０重量％であることが好ましい。さらには、塩酸が０．５重量％から１重量％であり、りん酸が０．１重量％から２重量％であることがより好ましい。洗浄液中における酸成分の濃度を上記した範囲にすることで、スケールの除去をより効率的に行なうことができる。
【００２４】
酸成分として用いられる有機酸としては、例えば、リンゴ酸、クエン酸、ギ酸、グリコール酸、酢酸、シュウ酸、酪酸、オレイン酸、リノール酸、リノレン酸などが挙げられるが、これらに限定されるものではない。これらのうち、クエン酸を用いることが好ましい。また、例えばクエン酸を用いる場合には、洗浄液全体に対する濃度は５重量％から２０重量％であることが好ましく、５重量％から８重量％であることがより好ましい。
【００２５】
特に、酸成分として２以上の酸を混合して使用する場合には、塩酸、グリコール酸を混合して用いることが好ましい。また、この場合には、酸性フッ化アンモニウムが１重量％であるのに対して塩酸の濃度が７重量％、グリコール酸の濃度が５重量％であることが、鏡の表面に付着したスケールをより軟化しやすくできる点で好ましい。
【００２６】
また、洗浄液には、キレート剤及び界面活性剤をさらに含有させることが好ましい。キレート剤を含有させることにより、酸性フッ化アンモニウムの作用によって鏡の表面から離れたカルシウム成分が再固着しないようにすることができる。
【００２７】
界面活性剤としては、例えばアニオン系界面活性剤、カチオン系界面活性、ノニオン系界面活性剤のいずれをも用いることができる。また、これらキレート剤及び界面活性剤は、それぞれを１種類ずつ単独で用いてもよいし、それぞれを２種類ずつ混合して用いてもよい。
【００２８】
酸成分として塩酸を用いる場合は、洗浄液全体の重量に対して１０重量％以上の濃度になると酸性フッ化アンモニウムと同様に劇物として取り扱われる。そのため、酸成分として塩酸を用いる場合は、洗浄液全体の重量に対して９．８重量％以下であることがより好ましい。例えば、後述するように酸成分として塩酸及びグリコール酸を用いて調合した場合には、洗浄液酸性フッ化アンモニウムが１重量％であるのに対し、塩酸を７重量％、グリコール酸を５重量％の割合で調製することがより好ましい。酸成分をこのように配合することによって、鏡の表面に付着してこびりついているスケールを軟化させることができ、またこびりつき具合を低下することができる。
【００２９】
本発明における洗浄シートは、洗浄には使用しない未使用時である通常時は密封性の高い袋又はケースに収納しておくことが好ましい。このような袋やケースに収納しておくことで、基材に含浸している洗浄液が通常時に揮発してしまう不具合を予め防止することができ、使用時にスケールを除去するのに必要な量の洗浄液を適切に使用することもできる。また、洗浄シートを使用するときに必要な分だけを袋やケースから取り出して使用する。上記した通り、この洗浄シートは、折り畳んで収納されている場合には、一枚のシート状に伸ばして鏡の表面に貼りつけて使用する。
【００３０】
次に、本発明に係る洗浄シートを用いた本発明に係るスケール除去方法について説明する。本発明に係るスケール除去方法は、スケールが付着した鏡の表面を擦ることはせず、スケールが付着した被洗浄面に貼り付け、その後フィルム状の部材で前記スケール除去用洗浄シートを覆い、前記スケール除去用洗浄シートを貼り付けるとともに前記フィルム状の部材で覆った状態を所定時間保持し、所定時間経過後に前記フィルム状部材を取り除き、その後前記スケール除去用洗浄シートを取り除く。
【００３１】
具体的には、図１（ａ）に示すように、鏡１の表面にスケール２が付着していたとして、スケール２を除去するときには、まず図１（ｂ）に示すように鏡１の表面に洗浄シート３を貼り付ける。この洗浄シート３は、上記したように袋や容器から取り出したものであり、基材に洗浄液が含浸されている。したがって、洗浄シート３は鏡１に対して容易に張りつけることができる。
【００３２】
次に、図１（ｃ）に示すように、洗浄シート３を貼り付けた鏡１に対して、鏡１と洗浄シート３を覆うように、フィルム状部材４を覆う。これは、洗浄シート３の基材に含浸している洗浄液が基材から蒸発するのを防止するとともに、洗浄液に含まれている酸性フッ化アンモニウムや酸成分などを確実に鏡１の表面におけるスケール２に作用するようにするためである。このように、フィルム状部材４で鏡１を覆ったら、所定時間、例えば３０分から１時間程度はこの状態を維持して放置する。これにより、洗浄液に含まれている各種の成分により、スケール２を軟化させたり、鏡１の表面を適度に浸食させたりすることができる。なお、この放置する時間は画一的に決まるものではなく、スケール２の付着度合いによって任意に決定することができる。
【００３３】
次に、図１（ｄ）に示すように、所定時間だけ放置したらフィルム状部材４を鏡１から取り除く。フィルム状部材４を取り除くと、鏡１の表面に貼りつけられた洗浄シート３が再び現れる。そして次に、図１（ｅ）に示すように、洗浄シート３を鏡１の表面からはがす。このとき、スケール２は、洗浄シート３中の洗浄液の各種成分によって軟化しており、洗浄シート３をはがすと該洗浄シート３とともに鏡１の表面から取れて除去されることになる。また、図１（ｆ）に示すように、洗浄シート３をはがした後に鏡１の表面に水をかけて洗えば、スケール２は確実に除去される。
【００３４】
このように、本発明に係るスケールの除去方法によれば、スケールと洗浄液中の各種成分とをなじみやすくすることができるだけでなく、スケールに対して万遍なく接触させることができる。そのため、スケールの洗浄効果を大きく向上させることができる。
【００３５】
なお、図１（ｃ）において図示したフィルム状部材４は、従来から知られているフィルム状の部材を任意に選択して用いてよい。たとえば、このフィルム状部材４は、洗浄シート３中の洗浄液が蒸発するのを防止して、洗浄シート３が鏡１の表面から剥がれ落ちるのを防止し、長時間にわたって洗浄液中の各種成分とスケール２との間での化学反応を効率的に生じさせるためのものであるから、このフィルム状部材４には、塩化ビニルフィルム、ポリエチレンフィルム等を用いることができる。
【実施例】
【００３６】
以下に、実施例を用いて本発明について詳細に説明する。なお、本発明はこれらの実施例に限定されるものではない。
【００３７】
（実施例１）
実施例１においては、スケールが全面に付着した鏡（大きさは４００ｍｍ×４００ｍｍ）を用いた。この鏡に付着したスケールは爪で引っかいたり、ヤスリなどを用いた従来の方法でこすったりした程度では除去することができないものであった。
【００３８】
また、本実施例において用いた基材は、１２０ｍｍ×４５ｍｍの大きさの不織布からなるシートを用いた。基材に含浸させる洗浄液には、酸性フッ化アンモニウムの濃度が３．８重量％、界面活性剤であるポリオキシアルキレンアルキルエーテルの濃度が０．５重量％となる水溶液を用いた。この洗浄液を基材に均一になるように含浸させて、本実施例における洗浄シートとした。
【００３９】
本実施例では、上記した洗浄液を含浸した洗浄シートを鏡の表面に貼りつけた。そして、このように鏡に対して空気が入らないようにしながら洗浄シートを貼り付けた状態にして、その後にフィルム部材を洗浄シートを周りを覆うようにしてラップさせた。
【００４０】
次に、ラップをした状態で洗浄シートを鏡の表面に貼りつけて、その状態を３０分間維持した。３０分経過した時点でフィルム状部材を除去し、その後洗浄シートを鏡の表面からはがした。その後、鏡の表面に水を流して水洗いし、さらにその後鏡の表面を乾燥させてスケールの除去度合を目視で確認した。
【００４１】
スケールの除去度合を目視で確認したところ、鏡の表面において洗浄シートを付着させたところにはスケールが一切残存していなかった。その結果、本実施例に係る洗浄シートを用いると、鏡の表面を一切擦ることなく、スケールを除去できることがわかった。
【００４２】
（実施例２）
実施例２においては、スケールが付着した鏡と洗浄シートの構成は実施例１と同じものを用いた。なお、実施例２では、洗浄液の配合は酸性フッ化アンモニウムの濃度が１重量％、グリコール酸の濃度が５重量％、界面活性剤であるポリオキシアルキレンアルキルエーテルの濃度が０．５％であった。
【００４３】
次に、ラップをした状態で洗浄シートを鏡の表面に貼りつけて、その状態を３０分間維持した。３０分経過した時点でフィルム状部材を除去し、その後洗浄シートを鏡の表面からはがした。その後、鏡の表面に水を流して水洗いし、さらにその後鏡の表面を乾燥させてスケールの除去度合を目視で確認した。
【００４４】
スケールの除去度合を目視で確認したところ、鏡の表面において洗浄シートを付着させたところにはスケールが一切残存していなかった。その結果、本実施例に係る洗浄シートを用いると、鏡の表面を一切擦ることなく、スケールを除去できることがわかった。
【００４５】
（実施例３）
実施例３においては、スケールが付着した鏡と洗浄シートの構成は実施例１，２と同じものを用いた。なお、実施例３では、洗浄液の配合は酸性フッ化アンモニウムの濃度が１重量％、塩酸の濃度が７重量％、グリコール酸の濃度が５重量％、界面活性剤であるポリオキシアルキレンアルキルエーテルが０．５重量％であった。
【００４６】
次に、ラップをした状態で洗浄シートを鏡の表面に貼りつけて、その状態を３０分間維持した。３０分経過した時点でフィルム状部材を除去し、その後洗浄シートを鏡の表面からはがした。その後、鏡の表面に水を流して水洗いし、さらにその後鏡の表面を乾燥させてスケールの除去度合を目視で確認した。
【００４７】
スケールの除去度合を目視で確認したところ、鏡の表面において洗浄シートを付着させたところにはスケールが一切残存していなかった。その結果、本実施例に係る洗浄シートを用いると、鏡の表面を一切擦ることなく、スケールを除去できることがわかった。
【００４８】
以上、本発明に係るスケール除去用洗浄シート及びスケール除去方法の詳細について説明した。本実施の形態では、被洗浄体の例として鏡の例を用いて説明したが、本発明に係るスケール除去用洗浄シート及びスケール除去方法は、被洗浄体として鏡以外のものにも適用してよい。例えば、スケールが付着したガラスに適用することもできるし、鉄道車両やバスといった各種の車両の窓などにも適用することができる。また、これら以外のものにも任意に適用してもよい。
【符号の説明】
【００４９】
１  鏡
２  スケール
３  洗浄シート
４  フィルム状部材
【図１】
2020001018.tif 000003